(57)【要約】【課題】  複数のユーザがビューワーやカメラ等それぞれの画像処理端末に画像を保持し、それらをお互いに容易に利用しあえるようにすることが煩雑である。【解決手段】  複数の画像処理装置が画像表示装置を含むネットワークを構築し、ネットワーク内で他の機器を制御する機能を持つ制御機器の指示によって複数の画像処理装置が保持する画像データを画像表示装置へ一元的に表示すると共に、さらに１つの画像処理装置からの配信、印刷要求に応じて他の画像処理装置との画像交換をスムーズに実現する。また印刷要求は他の画像処理装置の持つＤＰＯＦファイルを更新することによって反映することが可能となる。【選択図】  図１８
2008160426.tif 000002
【特許請求の範囲】
【請求項１】
複数の画像処理装置とネットワークを形成するネットワーク制御装置であって、
前記複数の画像処理装置の少なくとも１つから、それぞれの画像処理装置に記憶された画像の属性情報を取得する属性情報取得手段と、
前記属性情報に基づき、前記画像を表示部に順次表示させるよう制御する表示制御手段と、
前記画像の表示中に、前記複数の画像処理装置から画像の取得要求を受信する受信手段と、
前記取得要求に応じて、表示中の画像の属性情報を前記取得要求の要求元の画像処理装置に送信する表示情報送信手段とを有するネットワーク制御装置。
【請求項２】
前記属性情報は、画像のＩＤ、及び画像を記憶した画像処理装置を特定するための機器ＩＤを含むことを特徴とする。
【請求項３】
前記取得手段により、前記複数の画像処理装置から取得した属性情報を一括してリストで管理するリスト管理手段をさらに有し、
前記表示制御手段は、前記リストに基づき表示を制御することを特徴とする請求項１に記載のネットワーク制御装置。
【請求項４】
前記リスト管理手段は、前記リストで管理された属性情報を特定の順番に並びかえることを特徴とし、
前記表示制御手段は、前記リストで管理された属性情報の順番に応じて画像を表示装置に順次表示させることを特徴とする請求項３に記載のネットワーク制御装置。
【請求項５】
前記特定の順番は、ファイル名、撮影日時、撮影機器の少なくとも１つに基づくことを特徴とする請求項４に記載のネットワーク制御装置。
【請求項６】
前記表示制御手段は、前記画像処理装置に対し、前記表示部に特定の画像を送信するよう要求することで表示を制御することを特徴とする請求項１に記載のネットワーク制御装置。
【請求項７】
前記取得要求には、要求元の画像処理装置を特定する要求元情報を含み、
前記表示情報送信手段は、前記要求元情報に基づき、前記表示中の画像の属性情報を送信することを特徴とする請求項１に記載のネットワーク制御装置。
【請求項８】
ネットワーク制御装置とネットワークを形成する画像処理装置であって、
他の画像処理装置から送信された画像が表示部に順次表示されている間に、特定の操作が行われたか否かを判定する操作判定手段と、
前記特定の操作を検知した場合に、前記ネットワーク制御装置に対して画像の取得要求を送信する送信手段と、
前記取得要求に応答して前記ネットワーク制御装置から送信された画像の属性情報を受信する属性情報受信手段とを有し、
前記属性情報は、前記取得要求を送信した際に前記表示部に表示されていた画像のＩＤを含むことを特徴とする画像処理装置。
【請求項９】
前記画像処理装置は、シャッタースイッチを備えた撮像装置であって、
前記特定の操作とは、シャッタースイッチを押下する操作であることを特徴とする請求項８に記載の画像処理装置。
【請求項１０】
前記属性情報受信手段により受信した属性情報に基づき、他の画像処理装置から画像を取得する画像取得手段をさらに有することを特徴とする請求項８に記載の画像処理装置。
【請求項１１】
複数の画像処理装置とネットワークを形成するネットワーク制御装置であって、
印刷の対象となる画像の属性情報を記述した印刷管理ファイルを記憶する管理ファイル記憶手段と、
前記複数の画像処理装置の少なくとも１つから、それぞれの画像処理装置に記憶された画像の属性情報を取得する取得手段と、
前記属性情報に基づき、前記画像を表示部に順次表示させるよう制御する表示制御手段と、
前記画像の表示中に、前記複数の画像処理装置から画像の印刷要求を受信する受信手段と、
前記印刷要求に応じて、表示中の画像を印刷するよう前記印刷管理ファイルを更新するよう指示する更新指示手段とを有するネットワーク制御装置。
【請求項１２】
前記印刷要求は、要求元の画像処理装置を特定する要求元情報を含み、
前記印刷管理ファイルは、画像の属性情報と前記要求元情報とが関連付けて記述されることを特徴とする請求項１１に記載のネットワーク制御装置。
【請求項１３】
印刷装置に印刷を指示する印刷指示手段を有し、
前記印刷指示手段は、前記要求元情報ごとにまとめて印刷を行うよう指示することができることを特徴とする請求項１２に記載のネットワーク制御装置。
【請求項１４】
印刷装置に印刷を指示する印刷指示手段を有し、
前記印刷指示手段は、前記要求元情報のうち、特定の要求元情報と関連付けられた画像の印刷を行うよう指示することができることを特徴とする請求項１２に記載のネットワーク制御装置。
【請求項１５】
ネットワーク制御装置及び表示装置とネットワークを形成する画像処理装置であって、
他の画像処理装置から送信された画像が表示装置に順次表示されている間に、特定の操作が検知されたか否かを判定する操作判定手段と、
前記特定の操作を検知した場合に、前記ネットワーク制御装置に画像の印刷要求を送信する送信手段とを有する画像処理装置。
【請求項１６】
前記送信手段は、前記印刷要求に要求元の画像処理装置を特定するための要求元情報を含めて送信することを特徴とする請求項１５に記載の画像処理装置。
【請求項１７】
複数の画像処理装置を含むネットワーク上の機器の制御方法であって、
前記複数の画像処理装置の少なくとも１つから、それぞれの画像処理装置に記憶された画像の属性情報を取得する属性情報取得工程と、
前記属性情報に基づき、前記画像を表示部に順次表示させるよう制御する表示制御工程と、
前記画像の表示中に、前記複数の画像処理装置から画像の取得要求を受信する受信工程と、
前記取得要求に応じて、表示中の画像の属性情報を前記取得要求の要求元の画像処理装置に送信する表示情報送信工程とを有するネットワーク上の機器の制御方法。
【請求項１８】
複数の画像処理装置を含むネットワーク上の機器の制御方法であって、
印刷の対象となる画像の属性情報を記述した印刷管理ファイルを記憶する管理ファイル記憶工程と、
前記複数の画像処理装置の少なくとも１つから、それぞれの画像処理装置に記憶された画像の属性情報を取得する取得工程と、
前記属性情報に基づき、前記画像を表示部に順次表示させるよう制御する表示制御工程と、
前記画像の表示中に、前記複数の画像処理装置から画像の印刷要求を受信する受信工程と、
前記印刷要求に応じて、表示中の画像を印刷するよう前記印刷管理ファイルを更新するよう指示する更新指示工程とを有するネットワーク上の機器の制御方法。
【請求項１９】
請求項１７に記載の方法をコンピュータに実行させるコンピュータ可読のプログラム。
【請求項２０】
請求項１８に記載の方法をコンピュータに実行させるコンピュータ可読のプログラム。
【発明の詳細な説明】
【技術分野】
【０００１】
本発明は、画像処理端末間で容易に画像の交換を行うためのネットワーク制御装置、画像処理装置、それらの制御方法、プログラムに関する。
【背景技術】
【０００２】
デジタルデータは画像の編集、通信が容易であり、幅広い用途で用いられる。これらのデジタルデータは、ＣＤやＤＶＤ、ハードディスクなどの電子記録媒体による保存が一般的になっている。
【０００３】
これらのデジタルデータを異なる画像処理端末間で授受するためには、様々な方法がある。例えばデジタルカメラなど画像処理端末の場合、着脱可能な記録媒体をユーザ間で受け渡すことでデジタルデータを授受する方法が知られている。また、インターネットのＷＥＢ上で共有エリアを設定し、提供者側の端末が共有エリアにアップロードしたデジタルデータを、被提供者側の端末がダウンロードする方法も知られている。さらに、画像処理端末同士をダイレクトに接続し、ネットワーク通信を利用して提供者側の端末から被提供者側の端末にデジタルデータを送信する方法も知られている（例えば、特許文献１）。
【特許文献１】特開２００３−２３４９８７号公報
【発明の開示】
【発明が解決しようとする課題】
【０００４】
しかし、複数のユーザがビューワーやカメラ等それぞれの画像処理端末にデジタルデータとして画像を保持し、それらをお互いに交換するケースを考えると、依然として煩雑な処理が必要である。つまり、複数のユーザが保持する画像を一括して閲覧する方法と、閲覧後の画像交換をスムーズに行う仕組みが存在しないという問題がある。例えば複数の人数で旅行に出かけ、参加者各人がデジタルカメラで撮影した画像や、携帯画像ビューワーなどに予め記憶された画像をユーザ同士が交換する場合を想定する。
【０００５】
従来では画像処理端末の持つ通信機能を用いて端末同士がダイレクトに交換する方法がある。但し通常はＰeｅｒ  ｔｏ  Ｐeｅｒの画像交換でありＮ個の画像処理端末がそれぞれの画像交換をする場合には、Ｎ（Ｎ−１）／２回の端末の組み合わせで交換処理を行わなければならず処理が煩雑である。
【０００６】
また、公衆ネットワークに接続することで遠隔地のサーバーを介して画像の交換を行う方法がある。これにより１つの画像処理端末が保持する画像をサーバーにアップロードし、他の画像処理端末がサーバーからダウンロードする方法である。しかしこの方法は、始めに全ての画像処理端末が共有するネットワークサーバーに接続することが前提である。既に目の前の端末にある画像を閲覧するためにわざわざ公衆回線を利用することや、お互いにデータを共有するサーバーを決定するのは煩雑である。さらに公衆ネットワークへの接続ができない場所ではこの方法は使えない。
【課題を解決するための手段】
【０００７】
上記課題を解決するために、本発明は、前記複数の画像処理装置の少なくとも１つから、それぞれの画像処理装置に記憶された画像の属性情報を取得する属性情報取得手段と、前記属性情報に基づき、前記画像を表示部に順次表示させるよう制御する表示制御手段と、前記画像の表示中に、前記複数の画像処理装置から画像の取得要求を受信する受信手段と、前記取得要求に応じて、表示中の画像の属性情報を前記取得要求の要求元の画像処理装置に送信する表示情報送信手段とを有する。
【０００８】
また本発明は、他の画像処理装置から送信された画像が表示部に順次表示されている間に、特定の操作が行われたか否かを判定する操作判定手段と、前記特定の操作を検知した場合に、前記ネットワーク制御装置に対して画像の取得要求を送信する送信手段と、前記取得要求に応答して前記ネットワーク制御装置から送信された画像の属性情報を受信する属性情報受信手段とを有し、前記属性情報は、前記取得要求を送信した際に前記表示部に表示されていた画像のＩＤを含むことを特徴とする。
【０００９】
また本発明は、印刷の対象となる画像の属性情報を記述した印刷管理ファイルを記憶する管理ファイル記憶手段と、前記複数の画像処理装置の少なくとも１つから、それぞれの画像処理装置に記憶された画像の属性情報を取得する取得手段と、前記属性情報に基づき、前記画像を表示部に順次表示させるよう制御する表示制御手段と、前記表示部での表示中に、前記複数の画像処理装置から画像の印刷要求を受信する受信手段と、前記印刷要求に応じて、表示中の画像を印刷するよう前記印刷管理ファイルを更新するよう指示する更新指示手段とを有する。
【００１０】
また本発明は、他の画像処理装置から送信された画像が表示装置に順次表示されている間に、特定の操作が検知されたか否かを判定する操作判定手段と、前記特定の操作を検知した場合に、前記ネットワーク制御装置に画像の印刷要求を送信する送信手段とを有する。
【発明の効果】
【００１１】
本発明によれば、ユーザはスライドショーを見ながら画像を選択することにより、他の画像処理装置との画像交換や印刷をスムーズに行うことができる。
【発明を実施するための最良の形態】
【００１２】
以下、この発明の最良の実施形態を図面と共に詳述する。
【００１３】
＜第１の実施形態＞
本実施例では複数台のデジタルカメラとテレビ２０１とがホームネットワークを形成し、テレビ２０１に複数台のデジタルカメラの画像を表示すると共に、デジタルカメラ同士で保持する画像の交換を行う方法について説明する。
【００１４】
＜デバイス構成＞
図１は、本発明の実施形態におけるデジタルカメラの構成を示す図である。以下、本発明の実施形態におけるデジタルカメラの構成について説明する。
１００は本実施形態におけるデジタルカメラである。
２は撮影レンズ、３は絞り機能を備えるシャッター、４は光学像を電気信号に変換する撮像素子、５は撮像素子４のアナログ信号出力をデジタル信号に変換するＡ／Ｄ変換器である。
６は撮像素子４、Ａ／Ｄ変換器５、Ｄ／Ａ変換器７にクロック信号や制御信号を供給するタイミング発生回路であり、メモリ制御回路８及びシステム制御回路９により制御される。
【００１５】
１０は画像処理回路であり、Ａ／Ｄ変換器５からのデータ或いはメモリ制御回路８からのデータに対して所定の画素補間処理や色変換処理を行う。
８はメモリ制御回路であり、Ａ／Ｄ変換器５、タイミング発生回路６、画像処理回路１０、画像表示メモリ１１、Ｄ／Ａ変換器７、メモリ１２を制御する。
【００１６】
Ａ／Ｄ変換器５のデータが画像処理回路１０、メモリ制御回路８を介して、或いはＡ／Ｄ変換器５のデータが直接メモリ制御回路８を介して、画像表示メモリ１１或いはメモリ１２に書き込まれる。
【００１７】
１１は画像表示メモリ、７はＤ／Ａ変換器、１３はＴＦＴ  ＬＣＤ等から成る画像表示部であり、画像表示メモリ１１に書き込まれた表示用の画像データはＤ／Ａ変換器７を介して画像表示部１３により表示される。
画像表示部１３を用いて撮像した画像データを逐次表示すれば、電子ファインダー機能を実現することが可能である。
【００１８】
１２は撮影した静止画像や動画像を格納するためのメモリであり、所定枚数の静止画像や所定時間の動画像を格納するのに十分な記憶量を備えている。
１４は絞り機能を備えるシャッター３を制御する露光制御手段であり、フラッシュ１７と連携することによりフラッシュ調光機能も有するものである。
【００１９】
１５は撮影レンズ２のフォーカシングを制御する測距制御手段、１６は撮影レンズ２のズーミングを制御するズーム制御手段である。
１７はフラッシュであり、ＡＦ補助光の投光機能、フラッシュ調光機能も有する。
【００２０】
９はデジタルカメラ１全体を制御するシステム制御回路であって、各部から入力される信号またはプログラムに応じて、各部の動作を制御する。２０はシステム制御回路９の動作用の定数、変数、プログラム等を記憶するメモリである。
【００２１】
１８は電源制御手段で、電池検出回路、ＤＣ−ＤＣコンバータ、通電するブロックを切り替えるスイッチ回路等により構成されている。電源制御手段１８は電池の装着の有無、電池の種類、電池残量の検出を行い、検出結果及びシステム制御回路９の指示に基づいてＤＣ−ＤＣコンバータを制御し、必要な電圧を必要な期間、記録媒体を含む各部へ供給する。１９はアルカリ電池やリチウム電池等の一次電池やＮｉＣｄ電池やＮｉＭＨ電池、Ｌｉ電池等の二次電池、ＡＣアダプター等からなる電源手段である。
【００２２】
２１はシステム制御回路９でのプログラムの実行に応じて、文字、画像、音声等を用いて動作状態やメッセージ等を表示する液晶表示装置、スピーカー等の状態報知部である。状態報知部２１はデジタルカメラ１の操作部近辺の視認し易い位置に単数或いは複数個所設置され、例えばＬＣＤやＬＥＤ、発音素子等の組み合わせにより構成されている。
【００２３】
２２は電気的に消去・記録可能な不揮発性メモリである。ここに機器の無線設定情報を記憶することができる。
２３はメモリカードを接続する為のメモリカードインターフェースであり、２４は外部機器とＵＳＢを用いて接続する為のＵＳＢインターフェースである。
２５は、システム制御回路９の各種の動作指示を入力するための操作手段であり、スイッチやダイアル、タッチパネル、視線検知によるポインティング、音声認識装置等の単数或いは複数の組み合わせで構成される。
【００２４】
２６はシャッタースイッチで、撮像素子４から読み出した信号をＡ／Ｄ変換器５、メモリ制御回路８を介してメモリ１２に画像データを書き込む露光処理、画像処理回路１０やメモリ制御回路８での演算を用いた現像処理という一連の処理の動作開始を指示する。
【００２５】
２７は無線通信回路であり、無線信号を送受信し、無線通信を制御する。２８は他の機器と無線通信を行うためのアンテナである。
【００２６】
２９は自機器の位置を特定するための位置取得装置である。位置取得装置２９の一例としてＧＰＳ（Ｇｌｏｂａｌ  Ｐｏｓｉｔｉｏｎｉｎｇ  Ｓｙｓｔｅｍ）があり、衛星からの電波を受信し自機器の位置を特定することが可能である。電波の受信は定期的に行ってもよいし、特定のタイミング、例えば操作部２５のうち特定の操作部材が操作されたタイミングで受信したり、シャッタースイッチ２６が押されたタイミングで受信してもよい。
【００２７】
３０はメモリカードであり、メモリカードインターフェースを介して送られてきた画像を記憶する。なお、本実施例におけるメモリカード３０はデジタルカメラ１と着脱可能としているが、画像を記憶する記憶媒体をデジタルカメラ１に内蔵してもよい。
【００２８】
図２は、本発明の実施形態におけるテレビ２０１の構成を示す図である。以下、本発明の実施形態におけるテレビ２０１の構成について説明する。
２０１は本実施形態におけるテレビ２０１である。
２０２は出力部であり、音声処理部２０５からの出力を受けて音声などを出力する。
２０３はユーザに対して情報を表示する表示部であり、表示処理部２０６によって処理される。
２０４はテレビ２０１の操作部であり、システムコントローラ２０７を介してユーザによる各種の動作指示を入力するための操作手段である。
【００２９】
２０８は電気的に消去・記録可能な不揮発性メモリである。ここに機器の無線設定情報を記憶することができる。２０９はテレビ２０１の動作用の定数、変数、プログラム等を記憶するメモリである。
２１０は無線通信回路であり、無線信号を送受信し、無線通信を制御する。２１５は他の機器と無線通信を行うためのアンテナである。
２１１は外部機器からのデータ入力部、２１２は外部機器へのデータ出力部である。２１３はチューナーであり、放送信号を受信して音声処理部２０５、表示処理部２０６へ与える。
２１４は電源手段である。
【００３０】
＜システム構成＞
以下、これらのデジタルカメラとテレビ２０１の構成をもとに、本実施形態において複数台のデジタルカメラとテレビ２０１とでネットワークを構成し、複数のデジタルカメラが保持している画像についてスライドショーを行う動作について説明する。なお、デジタルカメラ１、１０１、１０２、１０３及びテレビ２０１の制御は図１の不揮発性メモリ２２及び図２の不揮発性メモリ２０８に記憶されたソフトウェアプログラムにしたがい、システム制御回路９やシステムコントローラ２０７が実行する。
【００３１】
図３は、本実施例における複数台のデジタルカメラとテレビ２０１とのネットワーク構成例である。ここで、デジタルカメラ１０１、１０２、１０３は図１で示したデジタルカメラ１と同様の構成を持つものとする。これらの機器は、一般的な無線ＬＡＮで使用されるネットワーク識別情報であるＳＳＩＤ（Ｓｅｒｖｉｃｅ  Ｓｅｔ  Ｉｄｅｎｔｉｆｉｅｒ）や無線通信チャネル、暗号化のキーなどの無線パラメータについて予め共通の情報をメモリ上に記憶しておく。そして、そのパラメータに基づいて無線ＬＡＮによるネットワークを構築する。なお、本実施例で構築するネットワークはネットワークハブなどを介した有線によるＬＡＮでもよく、本実施例は構築するネットワークの形態に依存するものではない。
【００３２】
本実施形態のシステムでは、ネットワーク上の機器から、他の機器を制御する役割を持つ機器を決定する。本実施例では、複数台のうち１台のデジタルカメラが他の機器、例えば他のデジタルカメラやテレビを制御する役割を持つ。制御する側のデジタルカメラを「親カメラ」、その他の制御される側のデジタルカメラを「子カメラ」とする。子カメラは画像を記憶している機器である。子カメラは親カメラの制御に応じてネットワーク上の他の機器に画像を提供することが可能である。すなわち、ネットワーク上でサーバー機器として動作している。
【００３３】
本実施形態のシステムでは、親カメラが子カメラの画像情報を集めてテレビにスライドショーとして表示させることが可能である。具体的には、親カメラがネットワーク上から子カメラを検出して、それぞれの子カメラが持つ画像情報を収集することによりスライドショーのリストを作成する。そして親カメラはリストにしたがい、子カメラに対して画像データをテレビ２０１へ転送するよう指示する。この指示を画像ごとに順次行うことでスライドショー動作を実現する。
【００３４】
＜属性情報の収集＞
図４は、スライドショーにおける各カメラの役割を選択するための画面を示したものである。このスライドショーの設定画面４０１は、カメラ１の操作部２５をユーザが操作することにより、デジタルカメラの表示部１３に表示される。
【００３５】
設定画面４０１において、ユーザ操作により「マルチスライドショーを作成する」のアイコン４０２が選択されると、デジタルカメラは親カメラ１として起動する。「マルチスライドショーに参加する」のアイコン４０３が選択されると、デジタルカメラは子カメラとして起動する。「戻る」アイコン４０４を選択した場合は、デジタルカメラはスライドショーの開始を中止する。図４では「マルチスライドショーを作成する」のアイコン４０２が選択された状態を示している。デジタルカメラの操作部材により決定を示す動作が行われるとデジタルカメラ１は親カメラ１として起動する。次に、本実施形態におけるスライドショー処理の具体的な動作について、図５、図６のフローチャートを用いて説明する。
【００３６】
図５は、ネットワーク上の他の機器を制御する役割を持つ機器の動作を示すフローチャートである。本実施例では親カメラ１として起動されたデジタルカメラのシステム制御回路９が各部を制御することにより、以下の動作が実現される。
【００３７】
デジタルカメラ１が親カメラ１として起動されることにより、本フローチャートは開始される。
【００３８】
ステップＳ５０１において、親カメラ１は告知パケットを受信していないか確認する。ここで告知パケットとは、子カメラとなるデジタルカメラから親カメラとなるカメラ１に対して送信されるものである。告知パケットにはネットワークを構築するための情報、及び親カメラ１が子カメラを制御するための初期情報が含まれる。本実施形態における告知パケットの一例を図７に示す。告知パケットは、「パケット種類」、「宛先」、「機器情報のＵＲＬ」、「通知タイプ」、「通知サブタイプ」、「送信元情報」、「機器タイプ」といった情報を含む。ここで、「パケット種類」とは本実施例での動作を実現するために機器同士が通信する情報の種類であり、「告知」、「検索」、「要求」、「応答」などを定義する。図７では「告知」を示す情報が記述されている。「宛先」とはパケットの送信先であり、ＩＰアドレスと通信ポート番号で指定する。例えば告知パケットでは「２３９．２５５．２５５．２９０：１９００」などの指定でマルチキャストチャネルとポートを指定する。「機器情報のＵＲＬ」とは送信元の機器が有するＵＲＬである。例えば、「ｈｔｔｐ：／／１９２．１６８．０．１００：５８０００／ｉｎｄｅｘ０」である。「通知タイプ」とはこの機器が接続する他の機器に通知する方式を定義するものである。例えば、本実施例に示す親カメラのようなルートデバイスに送信する方式、子カメラ等の各デバイスに送信する方式、或いはサービスに対して送信する方式等が存在する。本実施例では「各デバイスに送信する方式」を選択する。「通知サブタイプ」とは「通知タイプ」を補足するものとしてデバイスを特定する方法等を定義する。「送信元情報」とは送信元の機器に関する製品名やバージョン、搭載するＯＳ名やそのバージョンを示す。「機器タイプ」とは機器の種類、例えばメディアプレーヤー、サーバー、表示装置、リモコン、などを指す。主に本実施例の動作においてはネットワーク上での個々の機器の役割を示すタイプも含まれる。告知パケット７０１を受信している場合は、親カメラ１は処理をステップＳ５０４へ進める。告知パケット７０１を受信していない場合は、処理をステップＳ５０２へ進める。
【００３９】
ステップＳ５０２において、親カメラ１は、他にスライドショーに参加する子カメラを探索すべく、検索パケット７０２を送信する。例えば、図３において子カメラとなりうるデジタルカメラ１０１、１０２、１０３のうち、子カメラとして起動していないものは告知パケット７０１を送信しない。したがって、親カメラ１は告知パケット７０１を送信しないデジタルカメラを子カメラとして認識しない。このようなカメラをスライドショーに参加させるため、親カメラ１は検索パケットを送信する。
【００４０】
検索パケット７０２とは、親カメラ１が子カメラを検索するために報知するためのパケットである。本実施形態における検索パケットの一例を図８（ａ）に示す。検索パケット７０２は、「パケット種類」「宛先」「検索タイプ」、「待機時間」、「検索ターゲット」といった情報を含む。ここで、「検索タイプ」とは検索の種類を示すカテゴリである。「待機時間」とは検索報知に対して応答を待つまでの最大待機時間である。この時間親カメラは検索を続ける。「検索ターゲット」とは検索範囲のデバイスを特定する。例えば全てのデバイス、ルートデバイス、特定のデバイス、特定のタイプのデバイス、特定のサービスを有するデバイスなどを指定する。ここで、親カメラ１は検索する機器の種類を検索パケット７０２の「検索ターゲット」フィールドへ記述する。例えば本実施形態の場合、親カメラ１は、スライドショー動作を行う際に必要となる、映像や音声を扱うサーバー機器や表示機器を「検索ターゲット」フィールドに記述する。このことにより、親カメラ１は、スライドショーに必要な機器を指定して検索することができる。
【００４１】
次にステップＳ５０３において、親カメラ１は、検索応答パケット７０３を受信しているか確認する。検索応答パケット７０３とは、ステップＳ５０２で親カメラが送信した検索パケットに応答して子カメラが送信するパケットである。本実施形態における検索応答パケットの一例を図８（ｂ）に示す。検索応答パケット７０３は、「パケット種類」、「有効期間」、「検索タイプ応答」、「機器情報のＵＲＬ」、「送信元情報」、「検索ターゲット」、「機器タイプ」といった情報を含む。ここで、「有効期間」とは応答する機器がネットワーク上で応答した機器タイプとしてどれだけの期間存在するか、すなわち役割の生存期間である。「検索タイプ応答」とは応答すべき検索タイプである。一定時間、検索応答パケット７０３を受信しない場合、親カメラ１は処理をステップＳ５０１へ戻し、動作を繰り返す。検索応答パケット７０３または告知パケット７０１を受信した場合は、処理をステップＳ５０４に進める。
【００４２】
ステップＳ５０４において、親カメラ１は、ステップＳ５０１またはステップＳ５０３で受信したパケットの「機器タイプ」フィールドを参照し、パケット送信元機器の情報を確認する。
【００４３】
ステップＳ５０５において、親カメラ１は、ステップＳ５０４で確認したパケット送信元の機器が、目的とする動作に必要な機器かどうか判断する。すなわち、パケット送信元の機器がスライドショー動作を行う際に必要となる、映像や音声を扱うサーバー機器や表示機器であるかどうかを判断する。送信元の機器が、親カメラ１が行う動作に必要な機器である場合、親カメラ１は、検索応答パケット７０３または告知パケット７０１に含まれる機器情報のＵＲＬを記憶し、処理をステップＳ５０６へ進める。送信元の機器が、親カメラ１が行う動作に必要なものでない場合、処理をステップＳ５０１へ戻し、必要な機器を発見するまで検索動作を繰り返す。例えばオーディオプレーヤーのように映像に付属しない音声データを再生する装置は画像表示を目的とするスライドショー動作にとって不要であるため、処理を進めない。本実施例では、スライドショー動作を行うのに必要でないタイプの機器に対して、親カメラ１は制御を行わない。
【００４４】
ステップＳ５０６において、親カメラ１は、ステップＳ５０５で機器情報を確認した機器に対して機器情報要求パケット７０４を送信する。機器情報要求パケットとは、親カメラから子カメラに対して送信されるものであって、機器や機器が提供できるサービスについての詳細情報を要求するためのパケットである。ここでいうサービスとは、「ファイルリスト転送」、「ファイル伝送」、「静止画像再生」、「動画像再生」、「音楽再生」、「静止画印刷」等である。本実施形態における機器情報要求パケットの一例を図９（ａ）に示す。機器情報要求パケット７０４は「パケット種類」、「宛先」といった情報を含む。機器情報の要求はステップＳ５０５で記憶した機器情報のＵＲＬに基づいて行う。図３において子カメラとなるカメラ１０１、１０２、１０３はこの要求に対して必要な機器情報を送り返す。
【００４５】
次にステップＳ５０７において、親カメラ１は、機器情報パケット７０５を受信しているか確認する。機器情報パケットとは、親カメラが送信した機器情報要求パケット７０４に応答して子カメラが送信するパケットである。本実施形態における機器情報パケットの一例を図９（ｂ）に示す。機器情報パケット７０５は「パケット種類」、「データ言語」、「データ長」、「データタイプ」、「機器情報」、からなる。ここで、「データ言語」とは機器同士が情報の通信を行う上で自機器が用いる言語の種類である。「データ長」とは「機器情報」の持つデータサイズである。「データタイプ」とは「機器情報」の示すデータ型である。「機器情報」とは機器名や型番の他、提供できるサービスを含む機器の情報を示す。親カメラは、一定時間機器情報パケット７０５を受信しない場合、処理をステップＳ５０６へ戻し、機器情報要求パケット７０４を送信する。機器情報パケット７０５を受信した場合は、処理をステップＳ５０８に進める。
【００４６】
ステップＳ５０８において、親カメラ１は、機器情報パケット７０５に記述されている機器情報を参照し、送信元機器についての詳細情報や、送信元の機器が提供できるサービスについての詳細を確認する。本実施形態では、子カメラから機器情報パケット７０５を受信した場合、「機器情報」フィールドには、子カメラの機器名や、子カメラが提供するサービス一覧情報が記述してある。サービスの例としては、「ファイルリスト転送」、「ファイル伝送」、「静止画像再生」、「動画像再生」、「音楽再生」、「静止画印刷」等がある。
【００４７】
ステップＳ５０９において、親カメラ１は、ステップＳ５０８で確認したサービスが必要とするサービスか否か判断する。必要とするサービスでなかった場合、例えば「音楽再生」や「静止画印刷」のような機能のみしかサービスとして提供しない場合は動作を終了する。必要とするサービスであった場合、親カメラ１は機器情報パケット７０５の機器名などの情報を保存する。ステップＳ５１０において親カメラ１は、サービス要求パケットを送信する。サービス要求パケットとは、親カメラが子カメラに対し、所望のサービスを要求するために送信するパケットである。本実施形態におけるサービス要求パケットの一例を図１０（ａ）に示す。サービス要求パケット７０６は「パケット種類」、「宛先」、「データ長」、「データタイプ」、「サービスタイプ」、「サービス要求」といった情報を含む。ここで、「サービスタイプ」とはサービス内容に基づくデータフォーマット等の情報である。「サービス要求」とは実際に要求するサービスの内容であり「ファイルリスト転送」、「ファイル伝送」、「再生」等である。またサービスの対象となるファイル名、ＩＤ等の詳細情報も含まれる。例えば、本システムにおいてスライドショーを実施するには、親カメラ１が複数の子カメラが保持する画像の属性情報を取得する必要がある。この場合、サービス要求パケット７０６に、「保持している画像の画像サイズや画像ＩＤやタイトル、日付などの一覧を送信する」といったサービスを記述する。このサービス要求パケット７０６の記述によって、色々なサービスを要求することが可能となる。例えば、「子カメラが保持している画像のうち、所定の期間内に撮影された画像の画像サイズや画像ＩＤやタイトル、日付などの一覧を送信する」、といったサービスも「サービス要求」フィールドに書き込むことにより、要求することができる。このことにより、親カメラが子カメラに対し、特定の検索条件に合致した画像の属性情報を送信させるよう制御することが可能となる。なお、これらサービスの内容については上記実施形態の内容に限定されるものではない。例えば親カメラは、子カメラに対して画像そのものを送信させることも可能である。
【００４８】
ステップＳ５１１において、親カメラ１は、サービス応答パケットを受信しているか判定する。サービス応答パケットとは、ステップＳ５１０で親カメラが送信したサービス要求パケット７０６に応答して子カメラから送信されるパケットである。本実施形態におけるサービス応答パケットの一例を図１０（ｂ）に示す。サービス応答パケット７０７は「パケット種類」、「データ長」、「データタイプ」、「検索タイプ応答」、「送信元情報」、「サービス応答」といった情報を含む。ここで、「サービス応答」とは応答すべきサービスの実データ、すなわち要求されたデータそのものである。一定時間サービス応答パケット７０７を受信しない場合は、親カメラ１は処理をステップＳ５１０に戻し、再度サービス要求パケット７０６を送信する。サービス応答パケット７０７を受信した場合、処理をステップＳ５１２に進める。なお、サービス応答パケット７０７に要求されたデータが必ずしも含まれている必要はなく、実データを一意に特定できる情報や、変換したデータを記述してもよい。
【００４９】
ステップＳ５１２において、親カメラ１は、受信したサービスの実行結果をデジタルカメラ１のメモリ２０に保存し、動作を終了する。
【００５０】
以上述べたように、親カメラ１はステップＳ５０６で要求したサービスを子カメラが実行した結果として、子カメラからサービス応答パケット７０７を受信する。このサービス応答パケット７０７には、サービスの実行結果、すなわち子カメラが保持する画像の画像サイズや画像ＩＤやタイトル、撮影日時などの属性情報が含まれている。画像ＩＤは画像を特定できる情報であればよく、例えば画像のファイル名や、画像に付加されたＵＵＩＤ（Ｕｎｉｖｅｒｓａｌｌｙ  Ｕｎｉｑｕｅ  ＩＤｅｎｔｉｆｉｅｒ）などを用いることができる。本実施形態では、ファイル名を用いる。親カメラ１は、これらの情報をリスト形式にしてスライドショーリストとしてデジタルカメラ１のメモリ２０に保存する。もちろん、予め子カメラ側でリスト形式にして親カメラ１に送信しても構わない。
【００５１】
図１１は、ステップＳ５１１において、親カメラ１が子カメラの所有する画像の属性情報を取得した場合に親カメラ１の表示部１３に表示される画面である。親カメラ１は、画像のリストを取得し終えると、ステップＳ５０９で「機器情報」フィールドから抽出し保存した機器名を表示する。図１１では、親カメラ１がデジタルカメラ１０１の画像リストを取得し終えたことをアイコン９０２で示す。ここでユーザ操作により開始アイコン９０３が選択されると、これまでに取得した画像の属性情報に従ってスライドショーが開始される。戻るアイコン９０４が選択されると、親カメラ１としての動作は中断される。
【００５２】
図５では、親カメラ１の動作について述べた。次に、ネットワーク上で制御される側の役割を持つ機器の動作、すなわち子カメラ１０１〜１０３及びテレビ２０１の動作について説明する。
【００５３】
図６に、本動作のフローチャートを示す。本実施形態では、子カメラ１０１のシステム制御回路９またはテレビ２０１のシステムコントローラ２０７が各部を制御することにより、以下の動作が実現される。以下、特に断らない限り、子カメラ１０１を例として説明する。
【００５４】
まずステップＳ６００において、子カメラ１０１は、ユーザ操作により、ネットワーク上で制御される側の役割を持つ機器として動作するよう指示があったか否かを判定する。すなわち、図４に示す画面で「マルチスライドショーに参加する」がユーザ操作により選択されたか否かを判定する。指示があった場合には、処理をステップＳ６０１に進める。指示がなかった場合には処理をステップＳ６０２に進める。
【００５５】
ステップＳ６０１において、子カメラ１０１は、自機器のタイプについての情報を含む告知パケットを生成し、現在接続しているネットワークに対してマルチキャストで送信する。例えば、子カメラは自機器が映像や音声を扱うサーバー機器であるということを告知パケット７０１の「機器タイプ」フィールドに記述する。また、テレビ２０１の場合には自機器が映像や音声を表示可能な表示機器であることを告知パケット７０１の「機器タイプ」フィールドに記述し、ネットワーク上の機器に対して告知パケット７０１を送信する。
【００５６】
ステップＳ６０２において、子カメラ１０１は、親カメラから送信された検索パケット７０２を受信しているか否か判定する。これは、子カメラが告知パケット７０１を送信後に親カメラ１からの検索パケット７０２を受信する場合があるからである。検索パケット７０２を受信した場合は処理をステップＳ６０３に進める。検索パケット７０２を受信しない場合は、処理をステップＳ６０６へ進める。
【００５７】
ステップＳ６０３において、子カメラ１０１は、検索パケット７０２の「検索ターゲットフィールド」の内容を参照し、親カメラから指定された検索条件を確認する。
【００５８】
ステップＳ６０４において、子カメラ１０１は、自機器がその検索条件に合致するかどうか判定する。検索条件に合致した場合は処理をステップＳ６０５に進める。検索条件に合致しなかった場合は、応答を行わずに処理をステップＳ６０６に進める。
【００５９】
ステップＳ６０５において、子カメラ１０１は、自機器の種類についての情報を含んだ検索応答パケット７０３を、パケット送信元に対して送信する。例えば、ステップＳ６０４において、検索パケット７０２が映像や音声を扱うサーバー機器を検索対象としていることが確認された場合、子カメラ１０１は自機器が映像や音声を扱うサーバー機器であるのでこのパケットに応答する。具体的には、検索応答パケット７０３の「機器タイプフィールド」に自機器の種類を記述して親カメラ１に対して送信する。テレビ２０１の場合であれば、ステップＳ６０４で映像や音声を再生可能な表示機器を検索対象としていることが確認された場合に、テレビ２０１は検索応答パケット７０３を送信する。
【００６０】
ステップＳ６０６において、子カメラ１０１は、機器情報要求パケット７０４を受信しているか確認する。一定時間、機器情報要求パケット７０４が受信されない場合は処理をステップＳ６０１に戻す。機器情報要求パケット７０４を受信すると、処理をステップＳ６０７に進める。
【００６１】
ステップＳ６０７において、子カメラ１０１は、自機器や自機器が提供できるサービスについての詳細情報を機器情報パケット７０５に記述し、機器情報要求パケット７０４の送信元へ返信する。
【００６２】
ステップＳ６０８において、子カメラ１０１はサービス要求パケット７０６を受信しているか確認する。受信した場合には処理をステップＳ６０９に進める。受信されない場合はそのまま継続してサービス要求パケット７０６の受信を待つ。
【００６３】
ステップＳ６０９において、子カメラ１０１は、サービス要求パケット７０６で要求されたサービスを自機器で実行する。そしてステップＳ６１０において、子カメラ１０１はその結果をサービス応答パケット７０７としてパケット送信元に送信する。
【００６４】
例えば、サービス要求パケット７０６の「サービス要求」フィールドには子カメラが保持している画像についての情報を要求する記述がされている。子カメラはこの記述を参照し、要求に応じた処理を実行する。すなわち、子カメラは自機器が記憶している画像の画像サイズ、画像ＩＤ、タイトル、撮影日時などの属性情報の一覧をサービス応答パケット７０７の「サービス応答」フィールドに記述し、親カメラ１へ送信する。また、サービス要求パケット７０６の「サービス要求フィールド」に、撮影日時の指定などの検索条件が指定されている場合がある。この場合には、子カメラ１０１が記憶している画像のうち、条件に当てはまる画像を検索する。そして条件に一致した画像の属性情報の一覧をサービス応答パケット７０７の「サービス応答」フィールドに記述し、親カメラ１へ送信する。なお、属性情報は前述したものに限定されず、例えばＥｘｉｆ（Ｅｘｃｈａｎｇｅａｂｌｅ  Ｉｍａｇｅ  Ｆｉｌｅ  Ｆｏｒｍａｔ）形式に準拠した画像ファイルに含まれる属性情報なども含まれる。
【００６５】
以上述べたように、本システムでは、親カメラ１が子カメラに対して画像に関する情報を要求することが可能である。子カメラがサービスを実行することで、親カメラ１はネットワーク上に存在する複数台の子カメラが持つ画像について、画像サイズや画像ＩＤやタイトル、撮影日などの属性情報を取得することができる。親カメラ１は、各属性情報と子カメラのＩＤとを対応付けて、ネットワーク上のスライドショーリストを作成する。また、親カメラ１は、自機器のメモリカード３０に自機器で撮影した画像を記憶している場合がある。記憶している画像が存在する場合には、親カメラ１は、作成したスライドショーリストに、自機器の記憶している画像の属性情報を追加して画像一覧リストを更新することも可能である。
【００６６】
スライドショーリストは任意の順番で並び替えることが可能である。例えば親カメラ１は、撮影の日付・時刻をキーとして時系列順に画像を並び替えることで、図１２のようなスライドショーリストを作成することができる。ここでは、親カメラ１となったデジタルカメラ１がネットワーク上の子カメラ１０１、１０２、１０３が保持している画像に関する情報を収集した場合のスライドショーリストを示している。このスライドショーリストは、撮影の日付・時刻をキーとして時系列順に並び替えられている。このスライドショーリストの特徴の１つは、どのカメラに記憶されている画像かによらず、ネットワーク上の複数の機器が保有する画像がまとめて時系列順に並べられていることである。このことにより、複数のカメラに記憶された画像をまとめて時系列順にスライドショーすることが可能となる。
【００６７】
図１３は、親カメラ１が図３に示すネットワーク上に存在する子カメラ１０１、１０２、１０３について画像の属性情報を取得した場合に、親カメラ１の表示部１３に表示される画面である。子カメラの情報がアイコン１００２、１００３、１００４で示される。ここで、ユーザ操作により開始アイコン１００５が選択されると、親カメラ１は、作成したスライドショーリスト８０１に基づいて、ネットワーク上でのスライドショーを開始する。スライドショーの動作については後述する。
【００６８】
＜スライドショー＞
次に、本実施例において親カメラ１の制御によりネットワーク上の機器でスライドショーを行う動作について示す。なお、本実施形態におけるスライドショーとは、複数の画像を表示部に順次表示する処理をいう。表示する画像の切替えはユーザの操作により行ってもよいし、自動的に切り替わってもよい。
【００６９】
ここで、ユーザは所望の順序で画像を表示するよう、親カメラ１に指示することが可能である。親カメラ１は、ユーザの指示にしたがいスライドショーリストを作成する。図１４にスライドショーの対象を選択する画面を示す。この画面は、図１３の開始アイコン１００５が選択されてスライドショーを開始する際に、親カメラ１の表示部１３に表示される。全画像表示アイコン１７０２が選択された場合には、親カメラ１は取得した画像の情報を、予め定められた表示順序に並び替えてスライドショーリストを作成する。表示順序は、撮影日時順、タイトル順、画像のファイル名順などがある。アイコン１７０３が選択された場合、親カメラ１は取得した画像の情報のうち、前回のスライドショー実行日時より最近に撮影された画像について、予め定められた順序で並び替えてスライドショーリストを作成する。これは、親カメラ１がスライドショー終了時の日時を不揮発性メモリ２２に記憶しておくことにより実現可能である。
【００７０】
アイコン１７０４が選択された場合は、テレビ２０１はネットワーク上のデジタルカメラから取得した全ての画像の情報から、ランダムな順序及び画像枚数を抽出してスライドショーリストを作成する。順序と抽出する枚数のどちらか一方がランダムであってもよい。
【００７１】
なお、スライドショーの条件はここに示すものに限らない。特定の属性情報を有するもの、例えば撮影日時が特定の日時である画像のみをスライドショーすることも可能である。
【００７２】
スライドショー対象の選択後、ユーザ操作により開始アイコン１７０５が選択されることにより、親カメラ１はスライドショーを開始する。
【００７３】
本実施例ではアイコン１７０２を選択し、図８で表示した画像リストの順番に従って表示するものとする。
【００７４】
図１５は、スライドショー実行中の親カメラ１の動作を示したフローチャートである。以下、フローチャートに従って、スライドショー実行中の親カメラ１の動作について示す。本フローチャートでの動作に先立ち、親カメラ１がネットワーク上の子カメラの画像情報を取得し、スライドショーリストを作成しているものとする。また、スライドショー処理における要求や応答は、サービス要求パケット７０６及びサービス応答パケット７０７の送受信に基づき行われる。本実施例では親カメラ１として起動されたデジタルカメラのシステム制御回路９が各部を制御することにより、以下の動作が実現される。
【００７５】
スライドショー動作が開始されると、ステップＳ１１０１において、親カメラ１はネットワーク上の機器に対してスライドショーの開始を通知する。
ステップＳ１１０２において、親カメラ１はスライドショー番号Ｉを初期値に設定する。ここでの初期値は１とする。スライドショー番号とは、スライドショーリストの何番目の画像を表示の対象とするかを示す番号である。
ステップＳ１１０３において、親カメラ１はスライドショーリストを参照し、スライドショーリストのＩ番目の要素を読み出す。
ステップＳ１１０４において、親カメラ１はテレビ２０１に対し、テレビ２０１が子カメラから画像を取得する際に必要な情報を送信する。ここで送信される情報には、スライドショー番号がＩである画像の画像ＩＤ、画像のタイトルやＵＲＬが含まれる。また、指定した画像をテレビ２０１にスライドショー表示させるための要求も含まれる。テレビ２０１がステップＳ１１０４で送信された画像の情報を用いて画像を表示する方法については後述する。
【００７６】
画像の情報を送信した後、ステップＳ１１０５において親カメラ１は、タイマーをスタートする。
ステップＳ１１０６において、親カメラ１はタイマーを監視し、予め設定された時間が経過したか否か、すなわちタイムアウトしたか否かを判定する。ここで、予め設定された時間はスライドショーにおける画像１枚当たりの表示時間に相当する。この時間は親カメラ１が自動的に設定してもよいし、ユーザ操作により設定することも可能である。タイムアウトした場合には、処理をステップＳ１１０７に進める。タイムアウトしていない場合はタイマーの監視を続行する。
【００７７】
ステップＳ１１０７において、親カメラ１は、現在のスライドショーリストの番号Ｉとスライドショーリストの最後の画像の番号とを比較する。現在のスライドショーリストの番号Ｉが最後の画像のものであったら処理をステップＳ１１０９に進める。
【００７８】
ステップＳ１１０９において、親カメラ１は、ネットワーク上の機器に対してスライドショー終了通知を送信し、動作を終了する。
ステップＳ１１０７において番号Ｉが最後の画像のものでない場合には、親カメラ１は処理をステップＳ１１０８に進める。
Ｓ１１０８において、親カメラ１は、スライドショーリストの番号Ｉの数を一つ増加させ、処理をステップＳ１１０３へ戻す。
【００７９】
以上述べたように、スライドショー動作において、親カメラ１はスライドショーリストを参照し、画像の情報を順次テレビ２０１に送信する処理を行う。
【００８０】
図１６は、スライドショー実行中のテレビ２０１の動作を示したフローチャートである。以下、フローチャートに従って、スライドショー実行中のテレビ２０１の動作について示す。なお、本動作はテレビ２０１のシステムコントローラ２０７が各部を制御することにより実現される。
【００８１】
図１５のステップＳ１１０１にて、親カメラ１からスライドショーの開始を通知されると、テレビ２０１はスライドショーの動作を開始する。
ステップＳ１２０１において、テレビ２０１は親カメラ１からデータを受信したか否かを判定する。受信した場合には処理をステップＳ１２０２に進める。受信していない場合には処理を繰り返す。
【００８２】
ステップＳ１２０２において、テレビ２０１はステップＳ１２０２で受信したデータの種類を判別する。親カメラ１から画像に関する情報を受信した場合には、処理をステップＳ１２０３に進める。ここでいう画像に関する情報とは、ステップＳ１１０４において親カメラ１から送信された情報である。
【００８３】
ステップＳ１２０３において、テレビ２０１は、親カメラ１から受信した子カメラのＩＤや、その子カメラが持つ画像のＵＲＬ情報に基づいて、子カメラに対して表示画像取得要求を送信する。表示画像取得要求とは、スライドショーに用いるための画像を画像の記憶先に対して要求する信号である。表示画像取得要求には、子カメラがどの画像をテレビに送信するかを特定する情報、例えば画像のＩＤなどが含まれる。
【００８４】
表示画像取得要求を送信した後、ステップＳ１２０５において、テレビ２０１はタイマーをスタートする。
【００８５】
ステップＳ１２０６において、テレビ２０１は子カメラから画像を受信したか否かを判定する。画像を受信していない場合は処理をステップＳ１２０８に進める。受信していない場合には処理をステップＳ１２０７に進める。
ステップＳ１２０８において、テレビ２０１は、タイマーがタイムアウトになっているか否かを判定する。タイムアウトになっていない場合には、処理をステップＳ１２０６に戻し受信を待機する。タイムアウトになったら処理をステップＳ１２０９に進め、画像受信動作を中断し、ステップＳ１２０１へ戻る。
ステップＳ１２０６において、テレビ２０１が画像を受信した場合について説明する。この場合は処理をステップＳ１２０７に進め、テレビ２０１は、受信した画像を表示部２０３に表示する。画像表示動作を行った後、処理をステップＳ１２０１に戻し、スライドショー動作を繰り返す。
【００８６】
なお、ステップＳ１２０２において、親カメラ１から終了通知を受信した場合は、親カメラ１は処理をステップＳ１２０４へ進める。
ステップＳ１２０４において、親カメラ１は、現在表示しているカメラＩＤや画像の表示を終了した上でスライドショー動作を終了する。
【００８７】
本実施形態では、テレビ１が子カメラ１に対して表示画像取得要求を送信したが、親カメラ１が表示画像取得要求を送信してもよい。この場合には、親カメラが子カメラに対し、特定の画像をテレビ２０１に送信するよう要求する。
【００８８】
なお、スライドショーが開始された後、最初の画像が表示されるまでは、ユーザは何も表示されない画面を見ることになる。そこで、スライドショーが開始された後に、スライドショーの１枚目の画像を表示するまでは、テレビ２０１に予め記憶されていた画像をタイトル画像として表示してもよい。また、親カメラ１が開始通知にタイトル画像を添付してテレビ２０１に表示させてもよい。具体的には、親カメラ１はスライドショーの開始とともに、テレビ２０１に予め記憶していたタイトル用の画像を送信し、テレビ２０１に表示させる。
【００８９】
図１７は、スライドショー実行中の子カメラの動作を示したフローチャートである。以下、フローチャートに従って、スライドショー実行中の子カメラの動作について示す。なお、本動作は、子カメラ１のシステム制御回路９が各部を制御することにより実現される。本フローは一例として、子カメラ１０１を用いて説明する。
【００９０】
図１５のステップＳ１１０１にて、親カメラ１からスライドショーの開始を通知されると、子カメラはスライドショーの動作を開始する。
【００９１】
ステップＳ１３０１において、子カメラ１０１はデータを受信したか否かを判定する。受信した場合には処理をステップＳ１３０２に進め、受信していない場合は処理を繰り返す。
ステップＳ１３０２において、子カメラ１０１は受信したデータの種類を判別する。
【００９２】
スライドショー処理において子カメラ１０１が受信しうるデータは、テレビ２０１からの画像取得要求と、親カメラ１からスライドショーの終了通知とがある。画像取得要求を受信した場合は、処理をステップＳ１３０３に進める。終了通知を受信した場合にはステップＳ１３０４で終了処理を行った上で、処理を終了する。
【００９３】
ステップＳ１３０３において、子カメラ１０１は受信した表示画像取得要求を参照し、表示画像取得要求に含まれる画像のＩＤを確認する。そしてメモリカード３０から、対応する画像のＩＤを有する画像を読み出す。さらに、読み出した画像をテレビ２０１に送信し、処理をステップＳ１３０１に戻す。
【００９４】
親カメラ１から終了通知を受信した場合は、子カメラ１０１は処理をステップＳ１３０３へ進め、スライドショー動作を終了する。
【００９５】
図１８に、図１５のステップＳ１２０７における処理の一例として、図１２に示すスライドショーリストの３番目の画像、「００８．ｊｐｇ」をテレビ２０１に表示した状態を示す。テレビ２０１は、表示画面１４０１に受信した「００８．ｊｐｇ」の画像を表示する。また、画像の表示と同時に、画面上にステップＳ１２０３で取得した子カメラのＩＤと取得した画像ファイル名を表示する。この表示により、スライドショーを見ているユーザは、現在どのカメラのどの画像がテレビ２０１に表示されているかを確認することができる。特に、本実施例のように複数のカメラに記憶された画像をまとめてスライドショーする場合には、ユーザはどのカメラに記憶された画像が表示されるか容易に把握できない。したがって、カメラのＩＤを表示することによって、ユーザは容易に画像が記憶されているデジタルカメラを把握することが可能となる。なお、子カメラ側でカメラＩＤとファイル名を重畳した画像を生成し、テレビ２０１に送信してもよい。
【００９６】
＜画像取得要求＞
ここまで、スライドショー表示に関わる親カメラ１、子カメラ１０１、１０２、１０３、テレビ２０１のそれぞれの動作について説明した。次に、カメラが画像の取得を要求する処理における各端末の動作について説明する。テレビ２０１はこの処理に直接は関与しない。
【００９７】
本実施形態では、まず子カメラが所望の画像を取得したい旨の要求を親カメラに送信する。要求を受けた親カメラは、画像の情報と、画像の持ち主の情報とを子カメラに送信する。子カメラは、親カメラから受信した情報を元に、画像の持ち主であるカメラと通信し、画像そのものの転送処理を行う。
【００９８】
まず、子カメラの動作について説明する。図１９に画像取得要求を発行したカメラの処理フローチャートを示す。以下に示す親カメラ１、子カメラの動作は、前述したスライドショー表示処理と並行して実行される処理である。すなわち、ユーザは実行されるスライドショーを見ながら、画像を取得するための操作を行う。この際、それぞれの端末にはリアルタイムＯＳ等の機能を利用したマルチタスク処理によって図１１、図１３に示すシーケンスのタスクと同期して動作するものとする。
【００９９】
なお、本動作は、子カメラのシステム制御回路９が各部を制御することにより実現される。また、画像取得要求は親カメラ１からも送信できるものとする。これは、親カメラ１のユーザもスライドショーで表示される画像を取得したい場合があるからである。その場合であっても、基本的な処理は子カメラと同様である。本フローでは、一例として子カメラ１０１を用いて説明する。
【０１００】
ステップＳ１９０１において、子カメラ１０１はユーザ操作により画像取得の指示があったか否かを判定する。指示があった場合には処理をステップＳ１９０２に進める。指示がない場合には処理を繰り返す。
【０１０１】
ここで、ユーザ操作による画像の取得要求について説明する。ユーザはテレビ２０１に表示された画像のスライドショーを見ながら、自分のデジタルカメラに配信してもらいたいと思う画像を選択する。選択の方法として、テレビ２０１に所望の画像が表示されているタイミングで、ユーザは所有するカメラの操作部２５の操作部材を操作する。ここで画像取得要求を発行するための操作部材は、操作部２５のうちいずれに割当てられてもよく、カメラ内で該当する部材の操作に対応して画像取得要求を指示する信号を発行できるものであれば何でもよい。例えば本実施形態におけるデジタルカメラは、スライドショー中にシャッタースイッチ２６が押下されたタイミングで画像取得要求を発行する。またスライドショーが開始された場合、子カメラは表示部１３にメニューを表示し、その中に取得指示を行うアイコンを表示させてもよい。
【０１０２】
ステップＳ１９０２において、子カメラ１０１現在表示されている画像取得要求を親カメラ１に送信する。画像取得要求には、自機のカメラＩＤが含まれる。このカメラＩＤが画像取得要求の要求元を特定するための情報となる。
ステップＳ１９０２で画像取得要求を送信すると、子カメラ１０１はステップＳ１９０３でタイマーをスタートさせる。
ステップＳ１９０４において、子カメラ１０１は、親カメラ１から画像取得要求に対する応答を受信したか否か判定する。要求に対する応答がなければ処理をステップＳ１９０５に進める。応答があれば処理をステップＳ１９０６に進める。
【０１０３】
ステップＳ１９０５において、子カメラ１０１はステップＳ１９０３でスタートしたタイマーが予め定められた時間を経過しているか否か、すなわちタイムアウトしているか否かを判定する。タイムアウトしていれば処理をステップＳ１９０８に進め、それ以降の処理を中止する。タイムアウトしていなければ処理をステップＳ１９０４に戻す。
【０１０４】
次に、ステップＳ１９０４において、親カメラ１から応答があったと判定した場合について説明する。
ステップＳ１９０６において、子カメラ１０１は受信した応答の内容を解釈する。子カメラ１０１が親カメラ１から受信しうる応答は、表示画像情報または画像転送不要通知である。表示画像情報とは、画像取得要求に応答して親カメラ１から送信されるものである。表示画像情報には、子カメラ１０１が画像取得要求を送信した際にテレビ２０１に表示されていた画像の情報が含まれる。まず表示画像情報を受信したと判定した場合について説明する。この場合には、処理をステップＳ１９０７に進める。
ステップＳ１９０７において、子カメラ１０１は、受信した表示画像情報を記憶し、表示画像情報に基づき実際の画像の転送を要求する。画像の転送処理については後述する。
【０１０５】
次に、ステップＳ１９０６において画像転送不要通知を受信したと判定した場合について説明する。画像転送不要通知とは、子カメラ１０１に親カメラ１が画像を転送する必要がない旨を通知するものである。例えば、子カメラ１０１が、自機器のメモリカード３０に記憶されている画像に対して画像取得要求を送信した際に、親カメラ１が送信する。画像転送不要通知を受信したということは、ステップＳ１９０２で取得要求した画像は自機器の保持する画像である。したがってこの場合には子カメラ１０１は処理を中止する。
【０１０６】
ここまで、子カメラの動作について説明した。次に、親カメラ１の動作について説明する。図２０に親カメラ１の画像取得・転送動作におけるフローチャートを示す。本動作は、親カメラ１のシステム制御回路９が各部を制御することにより実現される。
【０１０７】
まずステップＳ２において、親カメラはいずれかのカメラから画像取得要求を受信する。画像取得要求を発行するカメラは子カメラ１０１，１０２，１０３だけでなく、自機器である親カメラ１も含まれる。親カメラ１は受信した画像取得要求を参照し、要求を発行したカメラのカメラＩＤを記憶する。
【０１０８】
ステップＳ３において、親カメラ１は、現在スライドショーが実行中か否かを判定する。親カメラ１は自らがスライドショーの表示制御を行っているため、処理ステータスを確認することは容易である。スライドショーが実行されていなければ、処理をステップＳ１０に進め、画像取得要求を発行した子カメラに対してスライドショーが終了した旨を通知する。実行されている場合には、処理をステップＳ４に進める。
【０１０９】
ステップＳ４において、親カメラ１は、現在スライドショーにてテレビ２０１に表示されている画像の情報である表示画像情報を取得する。表示中の画像は、図１５のステップＳ１１０４において最後に送信した画像の情報に基づき決定することができる。なお、テレビ２０１に問い合わせを行うことで表示画像除法を取得してもよい。ここで取得する表示画像情報は、画像を一意に特定できる情報であることが必要である。図３に示す本実施例のネットワークシステムにおいて複数台のデジタルカメラが保持する画像の１つを特定するためには、画像のＩＤと画像が記憶されているカメラのＩＤとが最低限必要である。そこで、ステップＳ４では少なくともこれら２つの属性情報を表示画像情報として取得する。
【０１１０】
ステップＳ５において、親カメラ１は、画像取得要求に含まれるカメラＩＤ、すなわち送信元のカメラのカメラＩＤが、親カメラ１のカメラＩＤと等しいか否かを判定する。本実施形態では、親カメラ１も子カメラと同様、自機器に記憶した画像をスライドショーの再生対象とできるし、画像取得要求を行うことも可能である。しかしながら、取得を要求するカメラが自機器であるなら、後述する表示画像情報を送信する必要はない。すなわち、ステップＳ５において等しいと判定された場合には表示画像情報を送信する必要はない。したがって親カメラ１は処理をステップＳ６に進め、表示画像情報を自機器のメモリ２０に記憶し動作を終了する。一方、ステップＳ５において、自機器からの画像取得要求でないと判定すると、親カメラ１は、処理をステップＳ７に進める。
【０１１１】
ステップＳ７において、親カメラ１は、表示画像情報に含まれるカメラＩＤと、画像取得要求に含まれるカメラＩＤの比較を行う。子カメラからの取得要求は必ずしも他のカメラへのものではなく、ユーザが気付かずに、或いは誤って自機器に記憶されている画像に対して発行される場合もある。このような場合に無駄な転送処理を避けるため、本ステップを実行する。カメラＩＤが等しい場合には処理をステップＳ８に進める。異なる場合には処理をステップＳ９に進める。
【０１１２】
ステップＳ８において、親カメラ１は画像の交換、転送が不要の旨の通知を、画像取得要求の送信元である子カメラに対して行う。
ステップＳ９において、親カメラ１は、表示画像情報を画像取得要求の送信元である子カメラに対して送信する。
【０１１３】
ここまで、画像取得要求処理について述べた。以上述べたように、スライドショーの実行中に、子カメラが画像の取得要求を行うと、親カメラが表示中の画像を特定する情報を子カメラに送信する。このようにすることで、子カメラは複数のデジタルカメラに記憶されている画像の情報を簡単に得ることができる。
【０１１４】
＜画像転送＞
次に、画像転送処理について述べる。画像取得要求処理では属性情報を送受信していたが、画像転送処理では、実際に画像そのもの（以下、「本画像」）が転送される。本実施形態における画像転送処理では、転送を要求したデジタルカメラと要求された画像を所有するデジタルカメラとが直接通信して本画像の転送処理を行う。
【０１１５】
図２１に画像転送処理の詳細を示すフローチャートを示す。以下、子カメラ１０１が、子カメラ１０２に記憶されている本画像の取得を要求するケースを例として述べる。子カメラ１０１の動作を点線左側に、子カメラ１０２の動作を点線右側に示す。なお、本処理を親カメラ１が行う場合であっても同様の動作を行う。
【０１１６】
本フローは、図１９のステップＳ１９０６において、子カメラ１０１が表示画像情報を受信した場合に開始される。
ステップＳ２００１において、子カメラ１０１は、本画像転送要求を送信する。本画像転送要求とは、本画像を記憶している機器に対し、本画像を転送するよう要求するものである。本画像を記憶している機器は表示画像情報に含まれるカメラＩＤから特定可能である。したがって、子カメラ１０１のユーザは、要求を行う相手を複数の候補から選択する必要はない。本画像転送要求は、表示画像情報から取得した画像のＩＤ、及び自機器（ここではカメラ１０１）のカメラＩＤが含まれている。
【０１１７】
ステップＳ２００３において、子カメラ１０２は本画像転送要求を受信する。そして受信した本画像転送要求を参照し、要求元のカメラのカメラＩＤと画像ＩＤとを抽出しメモリ２０に記憶する。
【０１１８】
ステップＳ２００４において、子カメラ１０２は、抽出した画像ＩＤに基づき、自機器のメモリカード３０を検索する。そして画像ＩＤに対応する本画像を読み出す。
【０１１９】
ステップＳ２００５において、子カメラ１０２は、ステップＳ２００４で読み出した本画像を子カメラ１０１に送信し、処理を終了する。送信先が子カメラ１０１であることは、ステップＳ２００３で抽出したカメラＩＤに基づき特定できる。
【０１２０】
ステップＳ２００２において、子カメラ１０１は本画像を受信し、自機器のメモリカード３０に本画像を記憶し、処理を終了する。
【０１２１】
このようにして、子カメラ１０１は所望の画像を取得することができる。
【０１２２】
以上が本実施形態におけるシステムの説明となる。本システムでは、複数台のデジタルカメラが持つ画像を一括してスライドショーする。したがって、複数のユーザが複数のカメラに記憶された画像を同時に閲覧することが可能である。そして画像の閲覧中に、複数のカメラから画像の取得要求を行うことが可能である。したがって、ユーザは他のデジタルカメラと個別に通信することなく、簡単に画像の取得要求をおこなうことが可能である。
【０１２３】
また、複数のデジタルカメラの画像をテレビの画面に表示することで、ユーザにとって画像の確認がしやすくなる。
【０１２４】
本実施形態では複数台のデジタルカメラとテレビ２０１によるホームネットワークについて説明した。しかし、本発明の適用範囲は本実施形態には限定されない。例えば、画像ビューワーやハードディスク、携帯電話等、画像を記憶することが可能なネットワーク機器についても適用可能である。
【０１２５】
また本実施形態では、親カメラ１が画像の属性情報の収集やスライドショーの一元表示、画像取得要求に対する表示画像の属性情報の通知といった各制御を行っていた。しかし、本発明はこの例に限定されるものではない。例えばテレビ２０１、或いはスライドショー制御専用の端末が親カメラ１の機能を実行してもよい。
【０１２６】
さらに本実施形態では、本画像の転送処理をスライドショー表示処理中に並行して実行するようにした。しかし、本発明はこの例に限られるものではない。例えば、得られる表示画像情報をカメラのメモリ２０、もしくは不揮発性メモリ２２に記憶しておく。この場合、図２２に示すリスト形式で記憶しておくのが望ましい。そしてスライドショー終了後に、図２１のリストにしたがい、ネットワーク内で、あるいは１対１のネットワークを確立し、画像を取得する場合でも本発明は適用することができる。この場合、複数の画像取得要求があった場合でも、ユーザが操作することなく、図２１に示す転送処理を自動的に順次実行できることが望ましい。そうすれば、ユーザは簡単に複数のデジタルカメラに記憶された画像を取得することが可能となる。
【０１２７】
なお、ホームネットワークを形成する上でそれぞれの端末が通信に用いた通信パケットフォーマットや画像取得要求信号を発行する操作部材等は、本実施形態に限定されるものではない。
【０１２８】
また、本システムはテレビ２０１がない場合であっても、デジタルカメラの画像表示部１３を用いてスライドショーなどを表示させることも可能である。この場合には、親カメラまたは子カメラは、表示装置としての役割も兼ねることになる。
【０１２９】
さらに、本システムはテレビ２０１が親カメラとしての役割を兼ねてもよい。この場合には、テレビ２０１は画像を表示する手段とネットワーク上の機器を制御する手段の両方を備えることとなる。
【０１３０】
＜第２の実施形態＞
第１の実施形態では、複数のデジタルカメラが保持する画像を順次スライドショーし、そのうち所望の画像を簡単に転送する処理に付いて説明した。本実施形態では、転送処理だけでなく、スライドショーされた画像の印刷予約を簡単に行う方法について説明する。
【０１３１】
なお、本実施形態は第１の実施形態と共通する点が多い。そこで、第１の実施形態と同様の部分は説明を省略し、本実施形態に特有の部分について詳細に説明する。本実施形態におけるシステムの大きな特徴は、スライドショー表示中に、デジタルカメラが画像取得要求だけでなく画像印刷要求を送信できる点である。
【０１３２】
図２３に親カメラ１の印刷要求処理のフローチャートを示す。
【０１３３】
まずステップＳ２１０１において、親カメラ１はいずれかのカメラから画像印刷要求を受信したか否かを判定する。受信したと判定した場合には処理をステップＳ２１０２に進める。受信していない場合には処理を繰り返す。
【０１３４】
なお、子カメラが画像印刷要求を行う処理は基本的に画像取得要求の場合と同様である。画像印刷要求には送信元のカメラＩＤが含まれる。このカメラＩＤが画像印刷要求の要求元を特定するための情報となる。ただし、画像印刷要求を行うための操作部材は画像取得要求を行うためのものとは別の部材が割当てられる。またはメニューに選択画面を表示してもよい。画像取得要求は子カメラ１０１，１０２，１０３だけでなく、自機器である親カメラ１も行うこともできる。
【０１３５】
ステップＳ２１０２において、親カメラ１は画像印刷要求に含まれるカメラＩＤを参照し、送信元のカメラＩＤをメモリ２０に記憶する。
【０１３６】
ステップＳ２１０３において、親カメラ１は現在スライドショー処理を行っているか否かを判定する。親カメラは自らがスライドショー表示制御を行っているため処理ステータスを確認することは容易である。スライドショー表示を終了していれば、或いはスライドショー表示を行っていなければ処理をステップＳ２１０９に進める。ステップＳ２１０９において、親カメラ１は画像印刷要求を発行した子カメラに対し、スライドショーが終了した旨を通知し、処理を終了する。一方、現在スライドショーを実行している途中であれば、処理をステップＳ２１０４に進める。
【０１３７】
ステップＳ２１０４において、親カメラ１は、スライドショー処理において現在テレビ２０１に表示中の画像の情報を取得する。取得の方法は第１の実施形態と同様である。複数台のデジタルカメラに記憶されている画像の１つを特定するためには、画像のＩＤと画像が記憶されているカメラのＩＤとが最低必要である。そこでステップＳ２１０４において、親カメラ１は少なくともこれらの２つの情報を取得する。
【０１３８】
ステップＳ２１０５において、親カメラ１はステップＳ２１０４で取得したカメラＩＤが、親カメラ１のカメラＩＤと等しいか否かを判定する。等しいと判定した場合には処理をステップＳ２１０６に進める。異なると判定した場合には処理をステップＳ２１０７に進める。
【０１３９】
ステップＳ２１０７において、親カメラ１は、印刷を希望する画像を記憶しているカメラに対し、印刷パラメータ書換要求を送信する。印刷パラメータ書換要求とは、他のカメラが持つ画像を印刷するためのパラメータを書き換えることを要求する信号である。
【０１４０】
本実施形態における印刷パラメータ書換要求は、印刷管理ファイルの一種であるＤＰＯＦ（Ｄｉｇｉｔａｌ  Ｐｒｉｎｔ  Ｏｒｄｅｒ  Ｆｏｒｍａｔ）ファイルを書き換える要求である。本システムにおける各デジタルカメラは、メモリカード３０にＤＰＯＦファイルを記憶することが可能である。  この要求は、サービス要求パケット７０６のサービス要求フィールドに、印刷を要求する画像の印刷枚数パラメータを１増分させる命令を書き込むことで実現できる。印刷を要求する画像はステップＳ２１０４で受信した画像ＩＤを用いて指定する。印刷パラメータ書換要求を受信したデジタルカメラは、その内容にしたがい、自機に記憶されたＤＰＯＦファイルを書き換える。
【０１４１】
図２４にＤＰＯＦファイル構成を示した図を示す。ＤＰＯＦファイルはルートディレクトリ２２００の直下にある”ＭＩＳＣ”ディレクトリ２２０２の下に構成されるファイルである。ＤＰＯＦファイルは大きく４種類に分類される。まず、自動プリントファイルＡＵＴＰＲＩＮＴ．ＭＲＸ２２０３がある。さらにＵＮＩＣＯＤＥ文字列記述ファイルＵＮＩＣＯＤＥ．ＭＲＸ２２０４、ファイル自動送信ファイルＡＵＴＸＦＥＲ．ＭＲＸ２２０５、自動再生ファイルＡＵＴＰＬＡＹｎ．ＭＲＫ  （ｎは０〜９の整数）２２０６がある。このうち自動プリントファイルＡＵＴＰＲＩＮＴ．ＭＲＸ２２０３はプリントプロダクトＩＤ、プリント種類、プリント部数、ファイルフォーマット、画像ファイルのパス情報等を保持している。印刷パラメータ書換要求は、自動プリントファイル２２０３を更新し、プリント部数パラメータを変更するための要求である。
【０１４２】
ステップＳ２１０８において、親カメラ１は、画像印刷要求の送信先からサービスの実行が完了した旨の通知を受信し、その完了信号を返信して印刷要求処理を完了する。
【０１４３】
次に、ステップＳ２１０５において表示画像情報に含まれるカメラＩＤが親カメラ１のカメラＩＤと等しいと判定された場合について述べる。この場合は処理はステップＳ２１０６に進む。
【０１４４】
表示画像情報に含まれるカメラＩＤが親カメラ１のカメラＩＤと等しいと判定されたということは、親カメラが記憶している画像に対して印刷を要求されたことになる。画像印刷要求の対象が自機器のものであれば、印刷パラメータを書換要求を他の端末に送信する必要はない。したがって、ステップＳ２１０６で親カメラ１は、自機器のメモリカード３０に図２２のディレクトリ構成で記憶されているＤＰＯＦファイルの印刷パラメータを書き換え、ファイルを処理を終了する。
【０１４５】
印刷要求処理を終了後、ユーザは各デジタルカメラとプリンタ（図示せず）を接続し、ＤＰＯＦファイルにしたがった印刷を指示する。このことにより、プリンタからは要求された画像が要求された枚数だけプリントされることになる。
【０１４６】
以上のように、本実施形態における親カメラは、スライドショー中に受信した印刷要求に応じて、本画像を有するデジタルカメラのＤＰＯＦファイルを書き換える要求を送信することとした。このことにより、ユーザはスライドショー中に印刷要求を行うだけで、複数のデジタルカメラに記憶された画像を簡単にプリントさせることができる。また、プリントを要求される側のユーザも、どのデジタルカメラから、どの画像を、何枚要求されているのかを逐一管理する必要がなくなる。
【０１４７】
＜第３の実施形態＞
第２の実施形態では、複数の端末からの印刷の要求に対応できるシステムについて説明した。本実施形態では、画像印刷要求の送信元を考慮して画像印刷要求を処理することが可能なシステムについて説明する。
【０１４８】
本実施形態は第１・第２の実施形態と共通する部分が多いため、かかる部分は説明を省略し、本実施形態の特徴となる部分を主に説明する。第２の実施形態では、画像印刷要求の内容をＤＰＯＦファイルのプリンタ部数パラメータに反映させた。本実施形態の特徴は、画像印刷要求したユーザ毎にＤＰＯＦファイル内のプリンタパラメータの書換えを行うことである。
【０１４９】
図２６に、本実施形態における子カメラが画像印刷要求を行うフローチャートを示す。ここでは一例として、子カメラ１０１が処理を行うものとする。
【０１５０】
まず、ユーザはテレビ２０１に表示されたスライドショーを見ながら、印刷を希望する画像を選択する。もしテレビ２０１に所望の画像が表示されたら、表示されているタイミングでユーザは印刷要求を指示する操作を行う。ユーザの操作を受けた子カメラ１０１は、本シーケンスを開始する。
【０１５１】
ステップＳ２６００において、子カメラ１０１はユーザ情報の読み出しを行う。ユーザ情報は、予め子カメラ１０１の不揮発性メモリ２２に登録された情報である。
【０１５２】
ユーザ情報の登録画面の一例を図２５に示す。ユーザは操作部２５を操作し、ユーザ名入力欄２５０２にユーザ名を入力し、「保存」２５０３を選択する。ユーザ情報は複数登録することや削除することも可能である。
【０１５３】
ステップ２６０１において、子カメラ１０１は画像印刷要求を親カメラ１に送信する。画像印刷要求には、自機のカメラＩＤ及びステップＳ２６００で読み出したユーザ情報が含まれる。
【０１５４】
画像印刷要求を送信すると、ステップＳ２６０２において子カメラ１０１はタイマーを設定し、時間の計測を開始する。
ステップＳ２６０３において、子カメラ１０１は親カメラ１から画像印刷要求に対する応答、つまり画像印刷要求の完了通知を受信したか否かを判定する。受信していなければ処理をステップＳ２６０５に進め、タイムアウトしていれば処理を終了する。受信していれば処理を終了する。
【０１５５】
次に、親カメラ１の動作であるが、基本的には第２の実施形態と同様である。ただし、図２３のステップＳ２１０７において送信する印刷パラメータ書換要求には、図２６のステップＳ２６００で読み出されたユーザ情報が含まれる点が異なる。
【０１５６】
次に、子カメラが、親カメラ１から印刷パラメータ書換要求を受信したときに行う処理について、図２７を用いて説明する。ここでは例として子カメラ１０２が印刷パラメータ書換要求を受信したものとする。印刷パラメータ書換要求はスライドショー中に随時受信され得るものであるから、以下の処理は図２６に示すフローと並行して実行される。
【０１５７】
ステップＳ２８０１において、子カメラ１０２は印刷パラメータ書換要求を受信したか否かを判定する。受信した場合は処理をステップＳ２８０１に進める。受信していない場合には処理を繰り返す。
ステップＳ２８０２において、子カメラ１０２は印刷パラメータ書換要求に含まれる要求元ユーザ情報が自機のユーザ情報と同じか否か判定する。同じと判定した場合には処理をステップＳ２８０３に進める。異なると判定した場合には処理をステップＳ２８０４に進める。
ステップＳ２８０３において、子カメラ１０２はメモリカード３０に記憶されたＤＰＯＦファイルを書き換える。この場合の印刷パラメータ書換要求は子カメラ１０２自身が送信したものである。したがって、自機器用の書き換え処理を行う。自機器用の書き換え処理については後で詳しく述べる。
ステップＳ２８０４において、子カメラ１０２はメモリカード３０に記憶されたＤＰＯＦファイルを書き換える。この場合の印刷パラメータ書換要求は子カメラ１０２以外の他の機器から送信されたものである。したがって、他機器用の書き換え処理を行う。他機器用の書き換え処理については後で詳しく述べる。
ステップＳ２８０５において、子カメラ１０２は親カメラ１に書き換えが完了した旨の通知を行い、本処理を終了する。
【０１５８】
以下、ステップＳ２８０２の書き換え処理について具体的に述べる。ここでは一例として、カメラ１０２に記憶された画像”／ＤＣＩＭ／１００ＡＢＣＤ／ＡＢＣＤ０００１．ＪＰＧ”に対して画像印刷要求が行われたものとする。
【０１５９】
まず、カメラ１０２が画像印刷要求を送信した場合、すなわち画像の持ち主が自信の画像の印刷を要求した場合を考える。これは、ステップＳ２８０３における自機器用の書き換え処理に相当する。カメラ１０２のユーザ情報は”Ｔａｎａｋａ  Ｔａｒｏ”とする。
【０１６０】
この場合、自機器に保持するＤＰＯＦファイル”ＭＩＳＣ／ＡＵＴＯＰＲＩＮＴ．ＭＲＫ２２０３”に記述される内容を図２８（ａ）に示す。記述されるのは、機器情報・ユーザ情報を含むヘッダー部２７０１と、印刷画像情報を含む印刷ジョブ２７０２である。ヘッダー部２７０１は、”ＵＳＲ  ＮＡＭ”というパラメータが記述され、ここにユーザ情報”Ｔａｎａｋａ  Ｔａｒｏ”が記述される。
【０１６１】
以上の処理に続けて、今度はカメラ１０２以外のデジタルカメラから、画像”／ＤＣＩＭ／１００ＡＢＣＤ／ＡＢＣＤ０００１．ＪＰＧ”に対する画像印刷要求が送信された場合の書き換え処理について説明する。これは、ステップＳ２８０４における他機器用の書き換え処理に相当する。ここでは一例として、カメラ１０１から画像印刷要求が送信されたものとする。カメラ１０１のユーザ情報は”Ｙａｍａｄａ  Ｊｉｒｏ”とする。
【０１６２】
この場合、カメラ１０２は、メモリカード３０に記憶されたＤＰＯＦファイルＭＩＳＣ／ＡＵＴＯＰＲＩＮＴ．ＭＲＫ２２０３を書き換える。このときに記述する内容を図２８（ｂ）に示す。このＤＰＯＦファイルには、ＤＰＯＦのベンダー拡張を用いたヘッダー部２７０３と、印刷画像情報を含む印刷ジョブ２７０４と、ＤＰＯＦのベンダー拡張を用いたフッター部２７０５が記述される。ヘッダー部２７０３とフッター部２７０５には機器情報及びユーザ情報が記述される。このヘッダー部とフッター部に囲まれている印刷ジョブ２７０４が、”Ｙａｍａｄａ  Ｊｉｒｏ”から要求されている印刷ジョブである。
【０１６３】
さらに、カメラ１０１からカメラ１０２の所持する画像の画像印刷要求が送信された場合、カメラ１０２は機器情報”Ｃａｍａｒａ１０１”及びユーザ情報”Ｙａｍａｄａ  Ｊｉｒｏ”を含むヘッダー部とフッター部を検索する。その結果、ヘッダー部２７０３とフッター部２７０５に囲まれた部分が”Ｙａｍａｄａ  Ｊｉｒｏ”の印刷ジョブであることを認識する。そして、印刷パラメータ書換要求の内容にしたがい、印刷ジョブを追記する。図２８（ｂ）の場合であれば、印刷ジョブ２７０４の次、すなわち印刷ジョブ２７０４とフッター部２７０５の間に新たな印刷ジョブが追記される。
【０１６４】
このように、ユーザ情報を記述したヘッダー部とフッター部の間に印刷ジョブを記述することで、印刷の対象となる画像の属性情報とユーザ情報が関連付けられる。したがって、ユーザ情報毎に印刷ジョブを管理することが可能である。
【０１６５】
以上述べた印刷パラメータ書換え処理は、子カメラ１０１、１０２、１０３及び親カメラ１において同様であり、画像印刷要求を行った機器に応じたＤＰＯＦパラメータを記述する。
【０１６６】
ここまで、画像印刷要求処理について述べた。次に、画像印刷要求が終了した後、画像印刷要求を行った画像を確認する処理について説明する。本実施形態では、印刷を要求した画像のサムネイルを、後からユーザが閲覧することが可能である。本処理（以下、「閲覧処理」とする）図２９に、閲覧処理において親カメラ１が行う処理のフローチャートを示す。
【０１６７】
まず、ステップＳ２９０１において、親カメラ１はいずれのカメラから閲覧要求を受信する。閲覧要求は、印刷を要求した画像の閲覧を要求する信号であり、送信元のカメラＩＤとユーザ情報が含まれる。閲覧要求を発行するカメラは子カメラ１０１、１０２、１０３だけでなく自機器である親カメラ１も該当する。親カメラ１は、閲覧要求に含まれるカメラＩＤとユーザ情報とメモリ２０に記憶する。
【０１６８】
ステップ２９０２において、親カメラ１は、子カメラ１０１、１０２、１０３に閲覧要求を送信する。この処理により、親カメラ１は印刷要求があったことを他のカメラに対して通知し、サムネイルを要求する。もちろん、ユーザ情報やカメラＩＤ、画像のファイル名などを要求してもよい。
【０１６９】
次に、ステップＳ２９０３において、親カメラ１はステップＳ２９０２で送信した閲覧要求に対する応答として子カメラからサムネイルを受信したか否かを判定する。受信した場合には処理をステップＳ２９０４に進める。受信しない場合には処理を繰り返す。一定時間受信がない場合には処理を終了してもよい。
【０１７０】
ステップＳ２９０４において、親カメラ１は、閲覧要求に含まれるカメラＩＤと親カメラＩＤとが等しいか否かを判定する。等しくない場合、処理をステップＳ２９０５に進める。等しい場合には処理をステップＳ２９０６に進める。
【０１７１】
ステップＳ２９０５において、親カメラ１はステップＳ２９０３で受信したサムネイルを、閲覧要求を送信したデジタルカメラに送信し、処理を終了する。
【０１７２】
ステップＳ２９０４において、閲覧要求に含まれるカメラＩＤと親カメラＩＤとが等しい場合は、親カメラ１が閲覧を要求していることになる。したがって、ステップＳ２９０５において、親カメラ１はステップＳ２９０３で受信したサムネイルを画像表示部１３に表示する。
【０１７３】
次に、ステップＳ２９０２において送信された閲覧要求を受信したデジタルカメラの処理について説明する。ここでは一例として子カメラ１０２が閲覧要求を受信したものとする。図３０に本処理におけるフローチャートを示す。
【０１７４】
まずステップＳ３２０１において、子カメラ１０２は閲覧要求を受信したか否かを判定する。受信した場合には処理をステップＳ３２０２に進める。受信していない場合には処理を繰り返す。
【０１７５】
ステップＳ３２０２において、子カメラ１０２は、受信した閲覧要求に含まれるユーザ情報を取得し、メモリ２０に記憶する。
【０１７６】
ステップＳ３２０３において、子カメラ１０３は、メモリカード３０に記憶されたＤＰＯＦファイルから、ステップＳ３２０３で取得したユーザ情報が記述されているヘッダー部２７０３及びフッター部２７０５を検索する。そして、検索されたヘッダー部２７０３とフッター部２７０５の間にある印刷ジョブ２７０４に記述された画像ファイル名を参照する。そして、この画像ファイル名に対応する画像のサムネイルや属性情報をメモリカード３０から読み出す。
【０１７７】
ステップＳ３２０４において、子カメラ１０２はサムネイルを親カメラ１に送信し、処理を終了する。
【０１７８】
図３１は、閲覧要求後、閲覧要求したデジタルカメラの画像表示部１３に表示される画面である。表示画面３００１にて、印刷を要求した画像のサムネイル及び画像に関する属性情報が表示される。図３１では、子カメラ１０１のユーザである”Ｙａｍａｄａ  Ｊｉｒｏ”が、子カメラ１０２に対して閲覧要求を行った結果を示す。ユーザは、子カメラ１０１の操作部２５を操作することで、画像の記憶先を示すカメラＩＤ３００４と、印刷要求元のユーザ情報３００２を選択することが可能である。また、印刷指定した画像のサムネイル画像３００３を表示するとともに、その画像の印刷形式が表示される。例えば、印刷枚数３００５やスタンダード印刷・インデックス印刷などの印刷形式３００６が表示される。図示していないが、印刷用紙サイズ、印刷用紙タイプ、イメージオプティマイズ、トリミング枠、画像回転、レイアウトなどの情報を表示することも可能である。
【０１７９】
図３２（ａ）は、子カメラ１０１の画面３１００にて、既に行った画像印刷要求をキャンセルするための画面を示す。一例として、子カメラ１０１のユーザ”Ｙａｍａｄａ  Ｊｉｒｏ”が子カメラ１０２に対して行った印刷指定をキャンセルする場合を考える。この場合、子カメラ１０１のユーザが操作部２５を操作し、印刷対象となる画像の記憶先３１０１と、自機のユーザ情報３１０２を選択する。
【０１８０】
子カメラユーザが「キャンセル」３１０３を選択すると、子カメラ１０１はその旨を子カメラ１０２に通知する。通知を受信した子カメラ１０２は、ＤＰＯＦファイルから”Ｙａｍａｄａ  Ｊｉｒｏ”を含むヘッダー部２７０３・印刷ジョブ２７０４・フッター部２７０５を削除する。
【０１８１】
子カメラ１０１が「全指定のキャンセル」３１０４を選択すると、子カメラ１０２にその旨が通知され、子カメラ１０２は印刷指定情報であるＤＰＯＦファイル自身を削除する。
【０１８２】
図３２（ｂ）は、カメラ１０２に記憶されている画像を印刷するようカメラ１０１から指示するための画面を示す。この画面はカメラ１０１の画像表示部１３に表示される。カメラ１０１のユーザ”Ｙａｍａｄａ  Ｊｉｒｏ”は、図３２（ａ）と同様、カメラ１０１の操作部２５を操作することで、カメラＩＤ３１１１とユーザ情報３１１２を選択する。
【０１８３】
カメラ１０１のユーザが「印刷開始」３１１３を選択すると、カメラ１０１は、カメラ１０２にその旨を通知する。通知を受信したカメラ１０２は、ＤＰＯＦファイルのうち”Ｙａｍａｄａ  Ｊｉｒｏ”を含むヘッダー部２７０３及びフッター部２７０５を検索する。そして、検索したヘッダー部２７０３及びフッター部２７０５間にある印刷ジョブ部２７０４を印刷するよう、接続したプリンタ（図示せず）に対し、印刷を指示する。
【０１８４】
以上述べたように、本実施形態では、画像印刷要求に要求元のユーザ情報を含ませ、そのユーザ情報を用いてＤＰＯＦファイルを更新するようにした。このことにより、ユーザ毎に印刷を要求を行った画像の閲覧を行ったり、ユーザ毎に画像の印刷を行うことが可能となる。
【０１８５】
本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。供給の形態はシステムあるいは装置記憶媒体に直接アクセスすることで供給されてもよいし、他の装置を介して供給されてもよい。
【０１８６】
この場合、記憶媒体から読み出されたプログラムコード自体が前述した実施の形態の機能を実現させることになり、そのプログラムコード及び該プログラムコードを記憶した記憶媒体は本発明を構成することになる。
【０１８７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１８８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１８９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１９０】
【図１】第１の実施形態におけるデジタルカメラのブロック図である。
【図２】第１の実施形態におけるテレビのブロック図である。
【図３】第１の実施形態におけるネットワーク構成例を示す図である。
【図４】第１の実施形態においてデジタルカメラの役割を決定する画面を示す図である。
【図５】第１の実施形態における親カメラの処理手順を示すフローチャートである。
【図６】第１の実施形態における子カメラの処理手順を示すフローチャートである。
【図７】第１の実施形態におけるパケットの形式について示す図である。
【図８】第１の実施形態におけるパケットの形式について示す図である。
【図９】第１の実施形態におけるパケットの形式について示す図である。
【図１０】第１の実施形態におけるパケットの形式について示す図である。
【図１１】第１の実施形態における親カメラによって検出された子カメラを表示する画面を示す図である。
【図１２】第１の実施形態におけるスライドショーリストを示す図である。
【図１３】第１の実施形態における親カメラ１によって検出された複数の子カメラを表示する画面を示す図である。
【図１４】第１の実施形態におけるスライドショー設定画面画面を示す図である。
【図１５】第１の実施形態における親カメラのスライドショー処理時の動作を示すフローチャートである。
【図１６】第１の実施形態における表示装置のスライドショー処理時の動作を示すフローチャートである。
【図１７】第１の実施形態における子カメラのスライドショー処理時の動作を示すフローチャートである。
【図１８】第１の実施形態におけるスライドショー画面を示す図である。
【図１９】第１の実施形態における子カメラの画像取得要求を示す図である。
【図２０】第１の実施形態における親カメラの画像取得要求処理時の動作を示すフローチャートである。
【図２１】第１の実施形態におけるカメラ間の画像転送処理時の動作を示すフローチャートである。
【図２２】第１の実施形態における画像取得要求のリストを示す図である。
【図２３】第２の実施形態における親カメラの印刷要求処理時の動作を示すフローチャートである。
【図２４】第２の実施形態におけるデジタルカメラのファイル構成を示す図である。
【図２５】第３の実施形態におけるユーザ登録画面を示す図である。
【図２６】第３の実施形態における子カメラの印刷要求処理時の動作を示すフローチャートである。
【図２７】第３の実施形態における子カメラのＤＰＯＦファイル書き換えの動作を示すフローチャートである。
【図２８】第３の実施形態におけるＤＰＯＦファイルを示す図である。
【図２９】第３の実施形態における親カメラの閲覧処理時の動作を示すフローチャートである。
【図３０】第３の実施形態における子カメラの閲覧処理時の動作を示すフローチャートである。
【図３１】第３の実施形態における画像の確認画面を示す図である。
【図３２】第３の実施形態における画像の印刷に関する指示画面を示す図である。
【図１】
2008160426.tif 000003
【図２】
2008160426.tif 000004
【図３】
2008160426.tif 000005
【図４】
2008160426.tif 000006
【図５】
2008160426.tif 000007
【図６】
2008160426.tif 000008
【図７】
2008160426.tif 000009
【図８】
2008160426.tif 000010
【図９】
2008160426.tif 000011
【図１０】
2008160426.tif 000012
【図１１】
2008160426.tif 000013
【図１２】
2008160426.tif 000014
【図１３】
2008160426.tif 000015
【図１４】
2008160426.tif 000016
【図１５】
2008160426.tif 000017
【図１６】
2008160426.tif 000018
【図１７】
2008160426.tif 000019
【図１８】
2008160426.tif 000020
【図１９】
2008160426.tif 000021
【図２０】
2008160426.tif 000022
【図２１】
2008160426.tif 000023
【図２２】
2008160426.tif 000024
【図２３】
2008160426.tif 000025
【図２４】
2008160426.tif 000026
【図２５】
2008160426.tif 000027
【図２６】
2008160426.tif 000028
【図２７】
2008160426.tif 000029
【図２８】
2008160426.tif 000030
【図２９】
2008160426.tif 000031
【図３０】
2008160426.tif 000032
【図３１】
2008160426.tif 000033
【図３２】
2008160426.tif 000034